(57)【特許請求の範囲】
【請求項１】
水槽の付属品のための支持装置（１０、１００）であって、水槽の壁（２００）の内面に取り付け可能な第一の固定要素（２０）と、前記第一の固定要素（２０）によって支持される、水槽の付属品（１５０）のための保持要素とを有するものであり、
前記第一の固定要素（２０）は凹状キャップ部（２８）を有し、前記保持要素（３０）は中空であり、少なくとも一部が前記凹状キャップ部（２８）に収容可能な凸状キャップ部（３２）を有し、前記支持装置（１０、１００）はキャップ形状の第一の磁性要素または強磁性要素（４０）を有し、前記第一の固定要素（２０）は第二の磁性要素または強磁性要素（２６）を有し、中空の前記保持要素（３０）は、当該保持要素（３０）の前記凸状キャップ部（３２）に配置された、前記キャップ形状の第一の磁性要素または強磁性要素（４０）をその内部に収容し、前記第一の固定要素（２０）はその内部に前記保持要素（３０）を収容するものであり、それにより前記保持要素（３０）の凸状キャップ部（３２）は、前記第一の固定要素（２０）の凹状キャップ部（２８）と前記第一の磁性要素または強磁性要素（４０）との間に挟まれるように前記第一の固定要素（２０）の凹状キャップ部（２８）に配置されるものであり、
前記第一の磁性要素または強磁性要素（４０）と前記第二の磁性要素または強磁性要素（２６）との間の磁気引力によって、前記保持要素（３０）は前記第一の固定要素（２０）により支持されるとともに回転自在であること
を特徴とする、支持装置。
【請求項２】
請求項１記載の支持装置において、前記保持要素（３０）および前記第一の磁性要素または強磁性要素（４０）は互いに強固に固定されていることを特徴とする、支持装置。
【請求項３】
請求項１または２記載の支持装置において、前記第一の固定要素（２０）の凹状キャップ部（２８）は弾性変形可能な材料によって作られることを特徴とする、支持装置。
【請求項４】
請求項１〜３のいずれか１つに記載の支持装置において、前記第一の固定要素（２０）は前記水槽の壁（２００）の内面に吸着する吸着手段（２３）を有することを特徴とする、支持装置。
【請求項５】
請求項１〜４のいずれか１つに記載の支持装置において、前記水槽の壁（２００）の外側に取り付け可能な第二の固定要素（１１０）を有し、前記第二の固定要素（１１０）は第三の磁性要素または強磁性要素（１１６）を有し、前記第二の磁性要素または強磁性要素（２６）との磁気相互作用によって、前記第一の固定要素（２０）と前記第二の固定要素と（１１０）は互いに引き合い、前記水槽の壁（２００）に吸着することを特徴とする、支持装置。
【請求項６】
請求項５記載の支持装置において、前記第二の固定要素（１１０）は前記水槽の壁（２００）の外面に取り付けられて吸着する吸着手段（１１３）を有することを特徴とする、支持装置。
【請求項７】
請求項５または６のいずれか１つに記載の支持装置において、前記第一の磁性要素または強磁性要素（４０）は強磁性要素であり、前記第二の磁性要素または強磁性要素（２６）は磁性要素であり、前記第三の磁性要素または強磁性要素（１１６）は磁性要素であることを特徴とする、支持装置。
【請求項８】
請求項１〜７のいずれか１つに記載の支持装置において、前記第一の固定要素（２０）および／または前記第二の固定要素（１１０）および／または前記保持要素（３０）は透明材料により作られることを特徴とする、支持装置。
【請求項９】
請求項１〜８のいずれか１つに記載の支持装置において、水槽の付属品（１５０）と接続されることを特徴とする、支持装置。
【請求項１０】
請求項９記載の支持装置において、前記水槽の付属品はポンプ（１５０）または曝気装置であることを特徴とする、支持装置。
【請求項１１】
請求項１０記載の支持装置において、当該支持装置は前記保持要素（３０）に取り付けられた被覆要素（１９０）と固定され、それにより前記ポンプ（１５０）または前記曝気装置は前記保持要素（３０）および前記被覆要素（１９０）内に収容されることを特徴とする、支持装置。
【発明の詳細な説明】
【技術分野】
【０００１】
本発明は、水槽付属品の支持装置に関するものである。
【背景技術】
【０００２】
ポンプや曝気装置などの水槽付属品を支持するために装置を使用することが知られている。これらの装置は水槽の内壁面に取り付けられる第一の固定要素と、この第一の固定要素と向かい合う前記水槽の外壁面に取り付けられる第二の固定要素を有する。前記第一の固定要素と第二の固定要素の両方は、水槽の壁に吸着する吸着カップを有し、それらの各自が一つまたはそれ以上の磁石を有し相互引力を作用させて前記水槽の壁への前記二つの固定要素の吸着の強度を増加させる。
【０００３】
機械的結合によって水槽付属品は、前記水槽内壁へ取り付けられる第一の固定要素に取り付けられる。この結合は例えばジョイントまたはボールジョイントから成り、具体的には前記固定要素内に作られた好適なシートと、通常金属であり前記シート内にに挿入され回転自在な球体から成る。前記球体は、付属品が装着された支持具が末端に固定されているロッドに固定される。
【０００４】
これにより、単に前記付属品を動かし前記ボールを前記シート内で回転させることによって、前記付属品を必要な向きに方向付けることが可能である。
【０００５】
しかしながら、これらの先行技術の装置にはいくつかの欠点が存在する。
【０００６】
実際に、前記ボールジョイントには前記付属品の片持ち荷重を支持しなければならないため機械的負荷がかかる。さらに、前記付属品を適切に方向付けるために、前記ロッドは常に動かされて前記ジョイントは連続可変負荷を受けることになる。それにより、時間が経つと、前記ジョイントが壊れたり適切に動かなく成ることが珍しくない。
【０００７】
さらに、前記支持装置は異なる要素から成るため特段に複雑化している。前記ジョイントの複雑さとそれを機械加工するのに求められる精度を考慮すると、この構造設計および前記装置の組み立ては複雑なものになってしまうのである。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  英国特許出願公開第３１５４２５号明細書
（特許文献２）  国際公開第２００７／１４８３６４号
（特許文献３）  米国特許出願公開第２００９／２１１５３３号明細書
（特許文献４）  米国特許出願公開第２０１１／０５６４３７号明細書
【発明の概要】
【課題を解決するための手段】
【０００８】
したがって、本発明の目的は、上記に述べられた問題を先行技術を引用しつつ解決することである。
【０００９】
特に、前記目的は構造的に単純である水槽付属品のための支持装置および組み立てが容易である少数要素からなる装置を提供することである。
【００１０】
さらに、支持される前記付属品の重量による負荷、および前記付属品の方向選択による連続可変負荷を制限する必要があるが、破損や故障も引き起こさないようにする必要がある。このような目的は請求項１に従った水槽付属品の支持装置によって達成される。
【００１１】
これによって、後にわかるように、当該保持要素の凸状キャップ部と第一の固定要素の凹状キャップ部との間のカップリングによって、前記装置の実施形態は顕著に単純である。
【００１２】
さらに、前記結合が強固であるので、前記装置は信頼性が高くまた破損や故障を引き起こしにくいものである。
【００１３】
最後に、この第一の磁性要素または強磁性要素と第二の磁性要素または強磁性要素間との間の磁気引力によって、前記保持要素の凸状キャップ部はこれらの間に挟まれ、前記第一の固定要素の凹状キャップ部に対して回転自在である一方、前記第一の磁性要素または強磁性要素と前記第二の磁性要素または強磁性要素との間の磁気引力によってそれらに固定されている。
【図面の簡単な説明】
【００１４】
これらおよび他の利点は以下の図面を参照することにより例示的ではあるが限定的ではない目的で提供される以下の本発明の詳細な説明によって明らかになるはずである。
【図１】図１は本発明に沿った水槽の付属品のための支持装置の斜視図である。
【図２】図２は図１の支持装置の断面図である。
【図３】図３は図１の支持装置の分解斜視図である。
【図４】図４は図１の支持装置の断面および分解図である。
【図５】図５は図１の支持装置の代替態様の断面図である。
【図６】図６は図５の支持装置の分解斜視図である。
【図７】図７は図５の支持装置と水槽のポンプの斜視図である。
【図８】図８は水槽の壁に取り付けられた図７のポンプと前記支持装置の側面図である。
【図９】図９は図７のポンプと前記支持装置の断面図である。
【図１０】図１０は図７のポンプと前記支持装置の断面および分解図である。    図１〜４において、水槽の付属品のための支持装置は引用文献１０と共に描写されている。
【発明を実施するための形態】
【００１５】
前記支持装置１０は第一の固定要素２０、保持要素３０および第一の磁性要素または強磁性要素４０を有する。
【００１６】
前記第一の固定要素２０はカップ形状であり底部２２および凹状キャップ部２８を有する。
【００１７】
好ましくは、前記底部２２は円形であり、ゴムまたはシリコンなどの好ましくは弾性変形可能な材料で作られ水槽の壁面に吸着する周辺突出リップから成る吸盤手段を有する。
【００１８】
前記凹状キャップ部２８もまたゴムやシリコンなどの、弾性変形可能な材料によって作られるものである。
【００１９】
リセス２４は第二の磁性要素または強磁性要素２６が収容される底部２２内に作られる。
【００２０】
前記保持要素３０は中空であり、凸状キャップ部３２および円筒状構造３４を有する。この保持要素３０の凸状キャップ部３２は前記第一の固定要素２０の凹状キャップ部２８の形状と対応する形状を有する。
【００２１】
前記第一の磁性要素または強磁性要素４０は前記第一の固定要素２０の凹状キャップ部２８の形状と前記保持要素３０の凸状キャップ部３２の形状と対応するキャップ形状を有する。
【００２２】
前記保持要素３０は、中空であり、内部に前記第一の磁性要素または強磁性キャップ状要素４０を収容し、これが前記保持要素３０の凸状キャップ部３２に配置されるようになっている。
【００２３】
これによって、前記第一の固定要素２０は、その内部に前記保持要素３０を収容し、より正確には、前記保持要素３０の凸状キャップ部３２は前記第一の保持要素２０の凹状キャップ部に配置されるようになっている。
【００２４】
そして、前記保持要素３０の凸状キャップ部３２は前記第一の固定要素２０の凹状キャップ部２８と前記第一の磁性要素または強磁性要素４０との間に挟まれるようになっている。
【００２５】
前記第一の磁性要素または強磁性要素４０と前記第二の磁性要素または強磁性要素２６との間の磁気引力によって、前記凸状キャップ部３２および前記保持要素３０は前記第一の固定要素２０によって支持される。さらに、前記第一の固定要素２０の凹状キャップ部２８ち前記保持要素３０の凸状キャップ部３２の対応している形状によって、前記保持要素３０は前記凹状キャップ部２８内において凸状キャップ部３２を滑らせることにより空間中でどのようにも方向付けることが出来るようになっている。
【００２６】
前記第一の磁性要素または強磁性要素４０と前記第二の磁性要素または強磁性要素２６との間の磁気引力を確かなものにするためには、
前記第一の要素４０は磁性要素であり前記第二の要素２６は磁性要素である
前記第一の要素４０は磁性要素であり前記第二の要素２６は強磁性要素である
前記第一の要素４０は強磁性要素であり前記第二の要素２６は強磁性要素である
の３つの可能性がある。
【００２７】
図５において、本発明の代替態様に沿った支持装置１００を示す。
【００２８】
前記支持装置１００は前記支持装置１０と同様の要素を有するため同じ参照番号で参照するものとし、具体的には第一の固定要素２０、保持要素３０および第一の磁性要素または強磁性要素４０である。
【００２９】
さらに、前記装置１００は水槽の外壁に取り付けられる第二の固定要素１１０を有するものである。
【００３０】
前記第二の固定要素１１０は、好ましくは円形である底部１１２を有し、好ましくはゴムまたはシリコンなどの弾性変形可能な材料で作られる、水槽の壁に吸着する、周辺突出リップから成る、吸着手段１１３を有する。
【００３１】
ハウジングシート部１１４は前記底部１１２中に形成されるものであり、第三の磁性要素または強磁性要素１１６がそこに挿入される。このシート部１１４は、蓋１１８によって閉じられて、それにより前記第三の磁性要素または強磁性要素１１６は封じられる。
【００３２】
前記吸盤要素１１３によって、前記第二の固定要素１１０は前記第一の固定要素２０の水槽の外壁側に強固に取り付けられる。
【００３３】
さらに、前記第二の磁性要素または強磁性要素２６と前記第三の磁性要素または強磁性要素１１６との間に働く作用によって、前記第一の固定要素２０および前記第二の固定要素１１０は互いに引き合い、よって、前記水槽の壁により良く取り付けられるものである。
【００３４】
まとめると、前記第一の固定要素２０の吸着手段２３および前記第二の固定要素１１０の吸着手段１１３に加えて、前記第一の固定要素２０と前記第二の固定要素１１０を引き寄せる磁気引力も存在するため、前記二つの固定要素２０、１１０はより強固に前記水槽の壁に吸着する。
【００３５】
図７、８、９および１０はポンプ１５０が取付けられた前記支持装置１００を示すものである。
【００３６】
前記第一の固定要素２０は水槽の壁２００の内面に取り付けられて、前記第一の固定要素２０の反対側において前記第二の固定要素１１０が前記水槽の壁の外部に固定される。
【００３７】
前記ポンプ１５０は羽根車１７０に固定された電気モーター１６０を有する。
【００３８】
前記電気モーター１６０はステータ１５４と羽根車１７０に接続しているシャフト１７４に取り付けられたロータ１７６を有する。
【００３９】
前記ロータ１７６の取り付けられた前記シャフト１７４を収容可能な管状要素１８４が周囲に固定されている、孔部１８２を有する閉塞ディスク１８０もまた存在する。
【００４０】
前記閉塞ディスク１８０の周縁の近くには前記保持要素３０の円筒構造３４の上縁部３４ａの寸法と一致する寸法を持つ環状溝１８６が存在する。
【００４１】
前記電気モーター１６０が前記保持要素３０の円筒構造３４内に置かれると、前記電気モーター１６０のステータ１５４内に前記管状要素１８４を挿入することによって、前記閉塞ディスクが前記円筒構造３４に取り付けられ、前記円筒構造３４と前記閉塞ディスク１８０によって区切られていた空間は完全にレジネート加工される。
【００４２】
これによって、前記保持要素３０、前記第一の磁性要素または強磁性要素４０およびまた前記電気モーター１６０が互いに一体化される。
【００４３】
その後、前記羽根車１７０および前記ロータ１７６は前記管状要素１８４内に前記ロータ１７６を挿入することにより組み立てられる。
【００４４】
最後に、被覆要素１９０は前記保持要素３０に取り付けられ、前記ポンプ１５０が前記保持要素３０と前記被覆要素１９０の間に包まれるようになる。
【００４５】
前記被覆要素１９０は水が前記ポンプ１５０によって吸入されて内部に入り同じポンプによって出口から押し出されることを可能とする細長い穴と共に提供される。
【００４６】
以下の、
前記保持要素３０の前記凸状キャップ部３２と前記第一の固定要素２０の前記凹状キャップ部２８との間で固定され、
前記第一の磁性要素または強磁性要素４０と前記第二の磁性要素または強磁性要素２６との間の引力によって、
前記保持要素３０は、前記第一の固定要素２０に接続すると共に、回転自在であり、前記ポンプ１５０を最もよい方向に方向付けることが出来る。
【００４７】
前記第一の固定要素２０は好ましくは透明材料により作られ、前記吸着手段２３が前記水槽の壁２００の内面に完全に吸着しているか、および前記保持要素３０の前記凸状キャップ部３２が前記凹状キャップ部２８と完全に合致しているかを、容易に確認することが可能になっている。
【００４８】
同様に、前記第二の固定要素１１０もまた好ましくは透明材料によって作られ、前記吸着手段１１３が前記水槽の壁２００の外面に完全に吸着しているか容易に確認することが可能になっている。
【００４９】
好ましくは、前記保持要素３０と前記被覆要素１９０もまた透明材料によって作られて、それらの内部にあるポンプが正しく設置されているか容易に確認することが可能となっている。
【００５０】
前記支持装置１０および１００の数々の部位の透明材料は、例えばアクリル樹脂（特に、プレキシグラス（登録商標）として知られるポリメチルメタクリレート）などの重合物質またはシリコン材料である。
【００５１】
さらに、前記装置１００は確認および保守または清掃作業を行うための組み立てや解体のし易さのために大変簡易性が高いものである。
【００５２】
さらに、その簡易性により、大変信頼性が高くなっている。
【００５３】
本発明の範囲内においてあらゆる理論的または機能的に同等な修正や変更がこの特許の範囲内で加えられることが明らかなはずである。
【００５４】
例えば、前記第一の固定要素、前記保持要素および前記第二の固定要素は異なる数の磁性要素または強磁性要素を持つことが出来る。
【００５５】
さらに、前記第一の固定要素および第二の固定要素は、例えば楕円形または正方形などの、円形以外の異なる形状を持つ底部を有することが出来る。
【００５６】
前記第一の固定要素２０の凹状キャップ部２８、前記保持要素３０の凸状キャップ部３２および前記第一の磁性要素または強磁性要素４０は好ましくは球状の形をしているが、放射体、楕円体または双曲多様体などの、似ているが異なる形状を有することも出来る。
【図１】
0006517246.tif 000002
【図２】
0006517246.tif 000003
【図３】
0006517246.tif 000004
【図４】
0006517246.tif 000005
【図５】
0006517246.tif 000006
【図６】
0006517246.tif 000007
【図７】
0006517246.tif 000008
【図８】
0006517246.tif 000009
【図９】
0006517246.tif 000010
【図１０】
0006517246.tif 000011